(57)【要約】【課題】画像データに予め付加された網情報を示す特定の文字列を認識する手段を設けることにより、１つのホットフォルダで複数の網情報の設定を共存させることができる画像処理装置を提供するものである。【解決手段】データ名認識手段３２は、画像データ内に記述されている特定の文字列を認識する。制御処理手段３３は、その認識された特定の文字列が示す色版の網情報の設定内容に従って画像データの網点化処理を行い、出力装置制御手段３４は、網点化処理された画像データと出力指示信号をＤＣＰ作成装置４に送信する。ＤＣＰ作成装置４は、画像処理装置３から受信した画像データに基づいて、レーザーで露光することによりデジタルカラープルーフを作成する。【選択図】      図１
2005043563.tif 000002
【特許請求の範囲】
【請求項１】
外部装置から特定の文字列が含まれている画像データを受信して、該画像データに対して網点化処理を行う画像処理装置であって、
前記画像データに含まれている前記特定の文字列を認識するデータ名認識手段と、
前記データ名認識手段によって認識された前記特定の文字列が示す網情報の設定内容に従って、前記画像データに対して網点化処理を行う制御処理手段と、
を備えたことを特徴とする画像処理装置。
【請求項２】
前記特定の文字列は、前記画像データのファイル名に含まれていることを特徴とする請求項１記載の画像処理装置。
【請求項３】
前記特定の文字列は、前記画像データのファイル名の中のジョブ名を示す文字列に含まれていることを特徴とする請求項１記載の画像処理装置。
【請求項４】
前記特定の文字列は、前記画像データのファイル内部に記述されているジョブ名に含まれていることを特徴とする請求項１記載の画像処理装置。
【請求項５】
前記網情報は、特色の網情報であることを特徴とする請求項１記載の画像処理装置。
【請求項６】
前記網情報は、網角度を含むことを特徴とする請求項１記載の画像処理装置。
【請求項７】
前記網情報は、網線数を含むことを特徴とする請求項１記載の画像処理装置。
【請求項８】
前記網情報は、網形状を含むことを特徴とする請求項１記載の画像処理装置。
【請求項９】
特定の文字列が含まれている画像データに対して網点化処理を行う画像処理方法であって、
前記画像データに含まれている前記特定の文字列を認識するデータ名認識ステップと、
前記データ名認識ステップにおいて認識された前記特定の文字列が示す網情報の設定内容に従って、前記画像データに対して網点化処理を行う制御処理ステップと、
を含むことを特徴とする画像処理方法。
【請求項１０】
特定の文字列が含まれている画像データに対して網点化処理を行うために、コンピュータに、
前記画像データに含まれている前記特定の文字列を認識するデータ名認識機能と、
前記データ名認識ステップにおいて認識された前記特定の文字列が示す網情報の設定内容に従って、前記画像データに対して網点化処理を行う制御処理機能と、
を実現させるための画像処理プログラム。
【請求項１１】
請求項１０に記載の画像処理プログラムを記録したコンピュータ読み取り可能な記録媒体。
【発明の詳細な説明】
【０００１】
【発明の属する技術分野】
本発明は、特色を出力可能なカラー画像データ出力システムにおいて、入力されるカラー画像データに予め、網情報を示す特定の文字列を付加しておき、該文字列を認識した場合には、その網情報に従って、網点化処理を行う画像処理装置に関する。
【０００２】
【従来の技術】
近年、印刷産業においては、ＤＴＰ（Ｄｅｓｋ  Ｔｏｐ  Ｐｕｂｌｉｓｈｉｎｇ）といったデジタル編集装置から、ＣＴＰ（Ｃｏｍｐｕｔｅｒ  ｔｏ  Ｐｌａｔｅ）といった、デジタルで直接、印刷用の原版を作成する画像出力装置に画像データを送信して、出力する機会が増えてきている。しかしながら、このように、直接、印刷用の原版を作成する場合には、ＤＴＰにおいて画像データを作成する際にミスがあると、間違った印刷物を大量に作成してしまう印刷事故が発生する場合があった。そこで、最近では、原版を作成する前にカラーの網点デジタルプルーフを作成することで、これを基に校正を行うことを可能としたデジタルカラープルーフ作成システムというものが使用されるようになってきた。
【０００３】
一般的に、複数の作業者がデジタル画像出力装置で出力処理毎に指示を行う場合、その処理内容毎の設定内容をホットフォルダと称されるフォルダに割り当てて、作業者はそのホットフォルダに画像データファイルをコピーして処理を行っていた（例えば、特許文献１）。
【０００４】
一方、カラーの網点デジタルプルーフをＣ（シアン）、Ｍ（マゼンタ）、Ｙ（イエロー）、Ｋ（ブラック）といった基本色で出力するデジタル画像出力装置において網点化処理を行う場合、網点角度は予め決めておいた設定を用いていたため、網点角度によりホットフォルダを分ける必要がなかった。
【０００５】
しかしながら、任意の特色が出力可能なデジタル画像出力装置では、特色の種類、特色同士の関係または特色とＣＭＹＫ版との関係により、出力毎に網点角度、線数または形状（以下、網情報と呼ぶ。）を設定する必要がある。従って、従来の画像処理装置においては、出力毎に網情報を設定するために、網情報の組み合わせごとにホットフォルダを多数用意しておき、出力したい網情報の組み合わせによって画像データを書き込むホットフォルダを指定していた。
【０００６】
また、特色に対して網点化処理を行う別の方法として、画像データ１点毎に個別に網情報を設定して、網点化処理を行っていた。
【０００７】
【特許文献１】
特開平１０−１４３６４７号公報（段落［００３１］）
【０００８】
【発明が解決しようとする課題】
【０００９】
しかしながら、従来技術においては、処理内容毎に複数のホットフォルダを用意し、出力したい網情報の組み合わせによって画像データを書き込むホットフォルダを指定する必要があるため、作業が煩雑化していた。さらに、作業者が画像データファイルをコピーしてホットフォルダ内に移動させるため、作業者による間違いが生じやすかった。また、ＤＴＰ編集装置とデジタルプルーフシステムは別のフロアや建物といった遠隔地にあることが多いため、画像データ１点毎に網情報を設定する場合では、非常に作業性が悪くなり、作業効率の低下を招いていた。
【００１０】
本発明は、上記の問題を解決するものであり、画像データに予め付加された網情報を示す特定の文字列を認識する手段を設けることにより、複数のホットフォルダを設けて作業者が特定のホットフォルダを指定する必要をなくし、１つのホットフォルダで複数の網情報の設定を共存させることができる画像処理装置を提供するものである。その結果、デジタル画像出力の作業の効率化を図り、さらに、作業者の間違いを減少させることができる画像処理装置を提供することを目的とする。
【００１１】
【課題を解決するための手段】
請求項１に記載の発明は、外部装置から特定の文字列が含まれている画像データを受信して、該画像データに対して網点化処理を行う画像処理装置であって、前記画像データに含まれている前記特定の文字列を認識するデータ名認識手段と、前記データ名認識手段によって認識された前記特定の文字列に示されている網情報の設定内容に従って、前記画像データに対して網点化処理を行う制御処理手段と、を備えたことを特徴とするものである。
【００１２】
請求項２に記載の発明は、請求項１記載の発明であって、前記特定の文字列は、前記画像データのファイル名に含まれていることを特徴とするものである。
【００１３】
請求項３に記載の発明は、請求項１記載の発明であって、前記特定の文字列は、前記画像データのファイル名の中のジョブ名を示す文字列に含まれていることを特徴とするものである。
【００１４】
請求項４に記載の発明は、請求項１記載の発明であって、前記特定の文字列は、前記画像データのファイル内部に記述されているジョブ名に含まれていることを特徴とするものである。
【００１５】
請求項５に記載の発明は、請求項１記載の発明であって、前記網情報は、特色の網情報であることを特徴とするものである。
【００１６】
請求項６に記載の発明は、請求項１記載の発明であって、前記網情報は、網角度を含むことを特徴とするものである。
【００１７】
請求項７に記載の発明は、請求項１記載の発明であって、前記網情報は、網線数を含むことを特徴とするものである。
【００１８】
請求項８に記載の発明は、請求項１記載の発明であって、前記網情報は、網形状を含むことを特徴とするものである。
【００１９】
請求項９に記載の発明は、特定の文字列が含まれている画像データに対して網点化処理を行う画像処理方法であって、前記画像データに含まれている前記特定の文字列を認識するデータ名認識ステップと、前記データ名認識ステップにおいて認識された前記特定の文字列が示す網情報の設定内容に従って、前記画像データに対して網点化処理を行う制御処理ステップと、を含むことを特徴とするものである。
【００２０】
請求項１０に記載の発明は、特定の文字列が含まれている画像データに対して網点化処理を行うために、コンピュータに、前記画像データに含まれている前記特定の文字列を認識するデータ名認識機能と、前記データ名認識ステップにおいて認識された前記特定の文字列が示す網情報の設定内容に従って、前記画像データに対して網点化処理を行う制御処理機能と、を実現させるための画像処理プログラムである。
【００２１】
請求項１１に記載の発明は、請求項１０に記載の画像処理プログラムを記録したコンピュータ読み取り可能な記録媒体である。
【００２２】
【発明の実施の形態】
以下、本発明の実施の形態の一例について、図１乃至図４を参照しつつ説明する。図１は、本発明の実施形態の画像出力システムの全体構成を示すシステム構成図である。また、図２は、本発明の実施形態における画像データの出力処理の流れを示すフローチャートである。また、図３および図４は、本発明の実施形態における網情報の設定例およびデータ名の入力例を示す図である。
【００２３】
（構成）
図１に示すように、本発明の画像出力システムは、上流端末である画像データ編集端末１Ａ〜１Ｃと、ＲＩＰ（Ｒａｓｔｅｒ・Ｉｍａｇｅ・Ｐｒｏｃｅｓｓｏｒ）２と、画像処理装置３と、ＤＣＰ作成装置４と、サーバ５と、原版作成装置６とを備えている。画像データ編集端末１Ａ〜１Ｃと、ＲＩＰ２と、画像制御装置３と、サーバ５とは、ネットワークＮを介して互いに接続されている。また、画像データ編集端末１Ａ〜１ＣおよびＲＩＰ２は、任意の数を設置することができる。
【００２４】
画像データ編集端末１Ａ〜１Ｃおよび画像制御装置３は、いずれもコンピュータターミナル（端末装置）として動作するものである。画像データ編集端末１Ａ〜１Ｃは、コンピュータ本体、キーボード、モニタ、イメージスキャナなどの画像入力機器などを備えており、画像制御装置３は、コンピュータ本体、キーボード、モニタなどを備え、ＤＣＰ作成装置４の出力制御を行うための所定の動作プログラムが組み込まれている。
【００２５】
また、ＤＣＰ作成装置４には、例えば、Ｒ、Ｇ、Ｂ各色のレーザーが備えられており、画像制御装置３から送信された画像データに基づいてレーザーで露光することによりデジタルカラープルーフを作成する。サーバ５は、画像データ編集端末１Ａ〜１ＣまたはＲＩＰ２から送信された画像データを格納する。原版作成装置６にはＣＴＰが用いられ、デジタルで直接、印刷用の原版を作成する。
【００２６】
次に、当該画像出力システムの詳細な構成について、図１を参照しつつ、主に画像データ編集端末１Ａ〜１Ｃおよび画像制御装置３について説明する。画像データ編集端末１Ａ〜１Ｃは、画像入力機器により取り込んだ画像データやＤＴＰアプリケーションにより編集を行った編集データに、所定の規則に従ってデータ名を入力するデータ名入力手段１１を備えている。
【００２７】
画像制御装置３は、ホットフォルダ３１と、データ名認識手段３２と、制御処理手段３３と、出力装置制御手段３４とを備えている。ホットフォルダ３１は、画像データ編集端末１Ａ〜１Ｃ、ＲＩＰ２またはサーバ５から送信された画像データを格納する。データ名認識手段３２は、ホットフォルダ３１内に格納されている画像データ内に記述されている網情報を示す特定の文字列を認識する手段である。また、制御処理手段３３は、データ名認識手段３２によって認識された網情報が示す網点化処理の設定内容に従って自動的に網点化処理を行う手段である。また、出力装置制御手段３４は、制御処理手段３３によって網点化された画像データを出力指示信号とともにＤＣＰ作成装置４に送信する手段である。
【００２８】
尚、ここで言う画像データの種別には、主に、ＰＳ、ＰＤＦ、ＥＰＳなどのページ記述言語と、ＴＩＦＦ、ＴＩＦＦ／ＩＴ、ＪＰＥＧなどの多値画像汎用フォーマットと、ＴＩＦＦ  ＢＩＴＭＡＰなどの２値画像汎用フォーマットがある。
【００２９】
（作用）
以上のようなデータ名認識手段３２および制御処理手段３３を備えた本実施形態の画像処理装置３によれば、次のような作用が奏される。
【００３０】
画像データ編集端末１Ａ〜１Ｃ、ＲＩＰ２またはサーバ５から画像制御装置３内のホットフォルダ３１に画像データが送信された場合に、画像制御装置３内のデータ名認識手段３２は、画像データ内に記述されている特定の文字列を認識する。そして、制御処理手段３３は、その認識された特定の文字列が示す色版の網情報の設定内容に従って画像データの網点化処理を行い、出力装置制御手段３４は、網点化処理された画像データと出力指示信号をＤＣＰ作成装置４に送信する。ＤＣＰ作成装置４は、画像処理装置３から受信した画像データに基づいて、レーザーで露光することによりデジタルカラープルーフを作成する。その結果、処理内容毎に異なるホットフォルダに画像データをコピーする必要もなくなるので、デジタル画像出力の作業の効率化を図ることができ、作業者の間違いを減少させることが可能となる。
【００３１】
次に、図２を参照しつつ、本発明の画像処理装置による画像処理の流れについて説明する。
【００３２】
図２に示すように、まず、画像データ編集端末１Ａ〜１Ｃに備えられているイメージスキャナなどの画像入力手段により、画像データ編集端末１Ａ〜１Ｃに画像を取り込み、その画像データやＤＴＰアプリケーションにより編集を行った編集データに、ファイル名およびジョブ名などのデータ名を入力する。ここで、データ名認識手段３２が認識できるように予め決められた所定の規則に従って、網情報を示す特定の文字列をファイル名またはジョブ名に含ませる（Ｓ０１）。データ名の入力は、作業者が画像データ編集端末１Ａ〜１Ｃに備えられているキーボードにより入力する。
【００３３】
ここで、データ名の入力規則の例について説明する。このデータ名の入力は、データ名認識手段３２が認識できる、予め決められた所定の規則に従う必要がある。ここでは、印刷ジョブのジョブ名に網情報を示す特定の文字列を含ませる場合について説明する。例えば、データ名認識手段３２が次のような規則に従って、網情報を認識する場合には、その規則に従ってデータ名を入力する必要がある。
【００３４】
網情報には、網角度、線数および形状がある。データ名認識手段３２が、それらの情報を、例えば、「ＪＯＢＮＡＭＥ」の後に続いて、１番目に記述されている情報は［色版名］であると認識し、続いて２番目に記述されている情報はその色版の［網角度］であると認識し、３番目に記述されている情報は［線数］であると認識し、４番目に記述されている情報は［形状］であると認識する場合は、これらの情報を次のようにジョブ名に含ませて入力する必要がある。「ＪＯＢＮＡＭＥ−［色版名］．［網角度］．［線数］．［形状］．［色版名］．［網角度］．［線数］．［形状］．ｊｏｂ」（ＪＯＢＮＡＭＥは任意の文字列）のように、データ名認識手段３２が認識できる規則に従って各網情報を入力する必要がある。そして、さらに別の特色の網情報を設定する場合には、引き続き、［色版名］、その色版の［網角度］、［線数］、［形状］を入力する。
【００３５】
また、一部の網情報のみを設定する場合には、その他の網情報の部分には何も記述しないか又はアンダーバーなどを記述するように決めておく。例えば、［網角度］のみを設定し、その他の［線数］、［形状］については設定しない場合は、「ＪＯＢＮＡＭＥ−［色版］．［網角度］．＿．＿．［色版］．［網角度］．＿．＿．ｊｏｂ」のように入力すればよい。
【００３６】
尚、本実施形態の文字列の入力例においては、［色版］の後に、［網角度］、［線数］、［形状］の順番で各情報を設定しているが、特にこの順番に限られず、［色版名］の後に、［線数］、［形状］、［網角度］の順番で設定することも可能である。この場合であっても、データ名認識手段３２が認識できる規則に従う必要がある。
【００３７】
また、画像データのファイル名に網情報を示す所定の文字列を含ませてもよい。その場合には、例えば、「ＦＩＬＥＮＡＭＥ−［色版名］．［網角度］．［線数］．［形状］．［色版名］．［網角度］．［線数］．［形状］．ｔｉｆ」（ＦＩＬＥＮＡＭＥは任意の文字列）のように入力する。
【００３８】
次に、図３および図４を参照しつつ更なる具体例について説明する。これらの具体例においても、先述したデータ名認識手段３２が認識できる規則に従って、網情報を記述する必要がある。これらの図に示されている例では、画像データのファイル名中のジョブ名を示す文字列に、網情報を示す特定の文字列が記述されている。図３（ａ）に、網情報のうちの網角度を設定する場合の第１の例を示す。この第１の例は、特色１（Ｓ１）としてＰＩＮＫ、特色２（Ｓ２）としてＧＯＬＤが選択され、特色１（Ｓ１）を網角度４５度で、特色２（Ｓ２）を網角度４５度で網点化処理を行いたい場合のジョブ名の入力例である。例えば、図３（ａ）に示すように、「ＪＯＢＮＡＭＥ−Ｓ１．４５．＿．＿．Ｓ２．４５．＿．＿．ｊｏｂ」のように記述する。これは、特色（Ｓ１）の網角度は４５度で、特色２（Ｓ２）の網角度は４５度であることを示している。また、ジョブ名の入力方法はこれに限られず、色版名称をジョブ名中に直接記述してもよい。例えば、「ＪＯＢＮＡＭＥ−ＰＩＮＫ．４５．＿．＿．ＧＯＬＤ．４５．＿．＿．ｊｏｂ」のように記述することもできる。
【００３９】
図３（ｂ）に、網情報のうちの網角度を設定する場合の第２の例を示す。この第２の例は、特色１（Ｓ１）としてＰＩＮＫ、特色２（Ｓ２）としてＧＯＬＤが選択され、特色１（Ｓ１）を網角度７５度、特色２（Ｓ２）を網角度４５度で網点化処理を行いたい場合のジョブ名の入力例である。この第２の例においても、前述した第１の例と同様に、「ＪＯＢＮＡＭＥ−Ｓ１．７５．＿．＿．Ｓ２．４５．＿．＿．ｊｏｂ」のように記述する。これは、特色（Ｓ１）の網角度は７５度で、特色２（Ｓ２）の網角度は４５度であることを示している。また、ジョブ名の入力方法はこれに限られず、前述した第１の例と同様に色版名称をジョブ名中に直接記載して、「ＪＯＢＮＡＭＥ−ＰＩＮＫ．７５．＿．＿．ＧＯＬＤ．４５．＿．＿．ｊｏｂ」のように記述することもできる。
【００４０】
データ名の入力によって網情報を設定できるのは、前述したように網角度に限られず、その他、線数や形状を設定することもできる。
【００４１】
さらに、図４（ａ）に第３の例を示す。この第３の例は、網情報中の網角度の他に線数を設定する場合の例であり、特色１（Ｓ１）としてＰＩＮＫ、特色２（Ｓ２）としてＧＯＬＤが選択され、特色１（Ｓ１）を網角度４５度、線数１７５本で網点化処理を、特色２（Ｓ２）を網角度４５度、線数１７５本で網点化処理を行いたい場合のデータ名の入力例である。このような場合には、同図に示すように、「ＪＯＢＮＡＭＥ−Ｓ１．４５．１７５．＿．Ｓ２．４５．１７５．＿．ｊｏｂ」のように記述する。これは、特色（Ｓ１）の網角度は４５度、線数は１７５本であり、特色２（Ｓ２）の網角度は４５度、線数が１７５本であることを示している。また、ジョブ名の入力方法はこれに限られず、前述した第１および第２の例と同様に色版名称をジョブ名中に直接記述して、「ＪＯＢＮＡＭＥ−ＰＩＮＫ．４５．１７５．＿．ＧＯＬＤ．４５．１７５．＿．ｊｏｂ」のように記述することもできる。
【００４２】
図４（ｂ）は、第４の例として、網情報のうちの網角度および線数の他にさらに形状を設定する場合の例を示している。この第４の例は、特色１（Ｓ１）としてＰＩＮＫ、特色２（Ｓ２）としてＧＯＬＤが選択され、特色１（Ｓ１）を網角度４５度、線数１７５本、形状を四角形で網点化処理を、特色２（Ｓ２）を網角度４５度、線数１７５本、形状を四角形で網点化処理を行いたい場合のジョブ名の入力例である。このような場合には、同図に示すように、「ＪＯＢＮＡＭＥ−Ｓ１．４５．１７５．ｓｑｕａｒｅ．Ｓ２．４５．１７５．ｓｑｕａｒｅ．ｊｏｂ」のように記述する。これは、特色（Ｓ１）の網角度は４５度、線数は１７５本、形状は四角形で、特色２（Ｓ２）の網角度は４５度、線数が１７５本、形状は四角形であることを示している。また、ジョブ名の入力方法はこれに限られず、前述した第１および第２の例と同様に、色版名称をジョブ名中に直接記述してもよい。例えば、「ＪＯＢＮＡＭＥ−ＰＩＮＫ．４５．１７５．ｓｑｕａｒｅ．ＧＯＬＤ．４５．１７５．ｓｑｕａｒｅ．ｊｏｂ」のように記述することもできる。
【００４３】
画像データにデータ名を入力した後、画像データはネットワークＮを介して画像制御装置３に送信され、ホットフォルダ３１に格納される。または、ネットワークＮを介してサーバ５に送信されサーバ５に格納される。サーバ５に格納された場合は、原版作成装置６によって原版を作成する前にカラーの網点デジタルプルーフを作成するため、画像データは画像制御装置３に送信され、ホットフォルダ３１に格納される。
【００４４】
次に、画像制御装置３に備えられているデータ名認識手段３２は、ホットフォルダ３１に格納されている画像データのデータ名に含まれている網情報を示す特定の文字列を、前述したデータ名の入力規則に従って認識する（Ｓ０２）。このデータ名認識手段３２がデータ名を認識する方法について、印刷ジョブのジョブ名に網情報を示す特定の文字列を含ませた場合について説明する。
【００４５】
例えば、データ名入力手段１１によって、「ＪＯＢＮＡＭＥ−［色版名］．［網角度］．［線数］．［形状］．［色版名］．［網角度］．［線数］．［形状］．ｊｏｂ」（ＪＯＢＮＡＭＥは任意の文字列）のようにジョブ名が入力されたとする。このジョブ名における網情報の記述は、データ名認識手段３２が正確に認識できるように予め決められた規則に従っている（Ｓ０１）。そして、データ名認識手段３２は、この規則に従って網情報を認識する。この場合は、「ＪＯＢＮＡＭＥ」の後に続いて、１番目に記述されている情報は［色版名］であると認識し、続いて２番目に記述されている情報はその色版の［網角度］であると認識し、３番目に記述されている情報は［線数］であると認識し、４番目に記述されている情報は［形状］であると認識する。この入力規則に従うことにより、データ名認識手段３２は正確に網情報を示す所定の文字列を認識することができる。
【００４６】
上述した第１の例に基づいて、さらに詳細な説明をする。この第１の例は、図３（ａ）に示すように、「ＪＯＢＮＡＭＥ−Ｓ１．４５．＿．＿．Ｓ２．４５．＿．＿．ｊｏｂ」のように記述されている。そして、データ名認識手段３２は、「ＪＯＢＮＡＭＥ」の後に続いて、１番目に記述されている「Ｓ１」は色版の情報であると認識し、２番目に記述されている「４５」は色版Ｓ１の網角度の情報であると認識し、３番目に記述されている「＿」は色版Ｓ１の線数の情報であると認識し、４番目に記述されている「＿」は色版Ｓ１の形状の情報であると認識する。さらに、５番目に記述されている「Ｓ２」は色版の情報であると認識し、６番目に記述されている「４５」は色版Ｓ２の網角度の情報であると認識し、７番目に記述されている「＿」は色版Ｓ２の線数の情報であると認識し、８番目に記述されている「＿」は色版Ｓ２の形状の情報であると認識する。その結果、特色（Ｓ１）の網角度は４５度で、特色２（Ｓ２）の網角度は４５度であること認識される。
【００４７】
また、色版名称をジョブ名中に直接記述されている場合においても同様である。例えば、「ＪＯＢＮＡＭＥ−ＰＩＮＫ．４５．＿．＿．ＧＯＬＤ．４５．＿．＿．ｊｏｂ」のように記述されている場合であっても、データ名認識手段３２は、「ＪＯＢＮＡＭＥ」の後に続いて、１番目に記述されている「ＰＩＮＫ」は色版の情報であると認識し、２番目に記述されている「４５」は網角度であると認識し、３番目に記述されている「＿」は線数の情報であると認識し、４番目に記述されている「＿」は形状の情報であると認識する。続いて「ＧＯＬＤ」についても同様である。その結果、特色「ＰＩＮＫ」の網角度は４５度で、特色「ＧＯＬＤ」の網角度は４５度であること認識される。
【００４８】
そして、制御処理手段３３はデータ名認識手段３２が認識した網情報が示す網点化処理の設定内容に従って網点化処理を行う（Ｓ０３）。例えば、前述した第１の例のようにジョブ名が記述されている場合は、特色１であるＰＩＮＫは網角度４５度で、特色２であるＧＯＬＤは網角度４５度で網点化処理される。
【００４９】
そして、網点化された画像データは、出力装置制御手段３４によって出力指示信号とともにＤＣＰ作成装置４に送信され、ＤＣＰ作成装置４によって、デジタルカラープルーフが作成される（Ｓ０４）。
【００５０】
本発明は、上記の実施形態に限定されるものではなく、その要旨の範囲内において種々の変形が可能である。
【００５１】
【発明の効果】
本発明によると、数少ないホットフォルダであっても自由に網情報の設定をすることができるため、デジタル画像出力の作業の効率を高めることが可能となる。さらに、処理内容毎に異なったフォルダにファイルをコピーする必要がなくなるため、作業者の間違いを減少させることができ、作業効率を更に高めることができる。また、一般的なファイル名やジョブ名を示す文字領域を使用するため、ＤＴＰ編集装置では、特に専用のソフトウェアを用いずに汎用のＤＴＰソフトウェアで対応可能である。
【００５２】
【図面の簡単な説明】
【図１】本発明の画像出力システムの全体構成を示すシステム構成図である。
【図２】本発明の実施形態における画像データの出力処理の流れを示すフローチャートである。
【図３】本発明の実施形態における網情報の第１および第２の設定例およびデータ名の入力例を示す図である。
【図４】本発明の実施形態における網情報の第３および第４の設定例およびデータ名の入力例を示す図である。
【符号の説明】
１Ａ、１Ｂ、１Ｃ  画像データ編集端末
２  ＲＩＰ
３  画像制御装置
４  ＤＣＰ作成装置
５  サーバ
６  原版作成装置
１１  データ名入力手段
３１  ホットフォルダ
３２  データ名認識手段
３３  制御処理手段
３４  出力装置制御手段
Ｎ  ネットワーク
【図１】
2005043563.tif 000003
【図２】
2005043563.tif 000004
【図３】
2005043563.tif 000005
【図４】
2005043563.tif 000006